(57)【要約】【課題】番組録画再生装置に録画された番組の再生開始位置を、通信ネットワークを通じて投稿された投稿文書に基づいて指定する。【解決手段】サーバ装置が特定語句リスト情報と第１投稿時刻情報とを記憶し、再生指示用端末装置で投稿文書の一覧から任意の投稿文書を選択すると、この投稿文書に含まれる特定語句がサーバ装置へ送信され、サーバ装置は、該特定語句に対応する番組再生指示情報を再生指示用端末装置へ送信する。再生指示用端末装置は受信した番組再生指示情報を送信して、番組録画再生装置に、特定語句に対応する再生開始位置を指定して、録画番組の再生を開始させる。どの投稿文書を選択しても、特定語句が共通ならば、同一の放送番組を同一の再生開始位置から再生することができる。そして、この再生開始位置は、特定語句に関連する事項が放送番組中で最初に放映された時刻にほぼ等しい。【選択図】      図１
2014135697.tif 000002
【特許請求の範囲】
【請求項１】
複数の放送番組が録画された番組録画再生装置に対し、放送番組を特定するための番組特定情報と、各放送番組中の再生開始位置を指定する再生開始位置情報とを含む番組再生指示情報を送信する再生指示用端末装置と、該再生指示用端末装置と通信するサーバ装置とを備え、
前記サーバ装置は、
通信ネットワークを通じて投稿文書サーバ装置へ投稿文書情報として投稿される放送番組に関する投稿文書中の、予め特定された特定語句を表す特定語句情報を、該放送番組と関連づけて収集する特定語句収集手段と、
収集した該特定語句情報と該放送番組とを関連づけた特定語句リスト情報を作成する特定語句リスト情報作成手段と、
前記特定語句リスト情報、および、前記特定語句情報を含む投稿文書が投稿された最も早い第１投稿時刻を表す第１投稿時刻情報を記憶する記憶手段と、
前記特定語句リスト情報および前記第１投稿時刻情報に基づいて、前記特定語句情報に関連づけられた放送番組に関する前記番組特定情報および前記再生開始位置情報を含む番組再生指示情報を生成する再生指示情報生成手段と、
前記番組再生指示情報を送信する情報送信手段と、
前記特定語句情報を受信する特定語句受信手段とを有し、
前記再生指示用端末装置は、
前記投稿文書情報を前記投稿文書サーバ装置から受信する投稿受信手段と、
受信した前記投稿文書情報を一覧表示させる投稿表示手段と、
前記投稿文書情報の一覧から任意の投稿文書情報を選択する投稿選択手段と、
選択した前記投稿文書情報に含まれる特定語句情報を前記サーバ装置へ送信する特定語句送信手段と、
前記サーバ装置から前記番組再生指示情報を受信する情報受信手段と
前記番組再生指示情報を前記番組録画再生装置へ送信する再生指示送信手段とを有し、
前記再生指示用端末装置が、前記投稿選択手段によって選択した任意の投稿文書情報に含まれる特定語句情報を、前記特定語句送信手段によって前記サーバ装置へ送信すると、
前記サーバ装置が、前記特定語句受信手段によって受信した該特定語句情報に対応する番組再生指示情報を、前記再生指示情報生成手段によって生成し、該番組再生指示情報を前記情報送信手段によって前記再生指示用端末装置へ送信し、
前記再生指示用端末装置は、前記情報受信手段によって受信した前記番組再生指示情報を、前記再生指示送信手段によって、前記番組録画再生装置へ送信することを特徴とする番組再生指示システム。
【請求項２】
通信ネットワークを通じて、予め特定された特定語句を表す特定語句情報および該特定語句情報に関連づけられた放送番組を表す番組名情報を含む投稿文書情報を、投稿文書サーバ装置へ投稿するための投稿文書送信手段と、
前記投稿文書情報に含まれる前記特定語句情報および該特定語句情報に関連する放送番組名を表す番組名情報を指定する語句指定手段と、
指定された前記特定語句情報、前記番組名情報、および、前記特定語句情報を含む投稿文書情報が投稿された時刻を表す投稿時刻情報を、前記サーバ装置へ送信する指定情報送信手段とを有する投稿用端末装置をさらに含み、
前記サーバ装置は、
前記投稿用端末装置から送信される前記特定語句情報、前記番組名情報、および前記投稿時刻情報を受信する指定情報受信手段をさらに含み、
前記指定情報受信手段によって受信した前記特定語句情報、前記番組名情報、および前記投稿時刻情報に基づいて、前記特定語句リスト情報を作成することを特徴とする請求項１に記載の番組再生指示システム。
【請求項３】
通信ネットワークを通じて、予め特定された特定語句を表す特定語句情報および該特定語句情報に関連づけられた放送番組を表す番組名情報を含む投稿文書情報を、投稿文書サーバ装置へ投稿するための投稿文書送信手段と、
前記投稿文書情報を前記サーバ装置へも送信するための第２投稿文書送信手段とを有する投稿用端末装置をさらに含み、
前記サーバ装置は、
前記投稿用端末装置から送信される前記投稿文書情報、および、前記投稿文書情報が投稿された時刻を表す投稿時刻情報を受信する文書情報受信手段と、
受信した投稿文書情報から、該投稿文書情報に含まれる前記特定語句情報および前記番組名情報を抽出する指定情報抽出手段をさらに含み、
前記指定情報抽出手段によって抽出した前記特定語句情報および前記番組名情報と、前記投稿時刻情報とに基づいて、前記特定語句リスト情報を作成することを特徴とする請求項１に記載の番組再生指示システム。
【請求項４】
前記サーバ装置は、
前記記憶手段によって、前記特定語句を含む複数の投稿文書の投稿時刻のうち、前記第１投稿時刻から予め定めた時間以上が経過した後続投稿時刻を後続投稿時刻情報としてさらに記憶し、
前記再生指示情報生成手段によって、前記番組再生指示情報とともに、前記後続投稿時刻情報に基づいて、前記特定語句に対応する放送番組中の異なる再生開始位置を指定する後続再生開始位置情報を含む後続番組再生指示情報をさらに生成し、
前記情報送信手段によって、前記再生指示用端末装置へ、前記番組再生指示情報とともに、前記後続番組再生指示情報を送信し、
前記再生指示用端末装置は、
受信した前記番組再生指示情報および前記後続番組再生指示情報に基づいて、同一放送番組中の異なる再生開始位置を選択するための選択画面を表示させる選択画面表示手段をさらに有し、
前記選択画面のいずれかが選択されることによって、選択された選択画面に対応する再生開始位置を指定した番組再生指示情報を、前記番組録画再生装置に送信することを特徴とする請求項１〜３のいずれか１つに記載の番組再生指示システム。
【請求項５】
前記サーバ装置は、
前記記憶手段によって、前記特定語句を含む複数の投稿文書の投稿時刻のうち、前記第１投稿時刻から予め定めた時間以上が経過した後続投稿時刻を後続投稿時刻情報としてさらに記憶し、
前記再生指示情報生成手段によって、前記番組再生指示情報とともに、前記後続投稿時刻情報に基づいて、前記特定語句に対応する放送番組中の異なる再生開始位置を指定する後続再生開始位置情報を含む後続番組再生指示情報をさらに生成し、
前記情報送信手段によって、前記番組再生指示情報とともに前記後続番組再生指示情報を、前記再生指示用端末装置へ送信し、
前記再生指示用端末装置は、
受信した前記番組再生指示情報および前記後続番組再生指示情報を、前記番組録画再生装置へ送信し、
前記番組録画再生装置は、
前記番組再生指示情報および前記後続番組再生指示情報を受信する番組再生情報取得手段と、
前記番組再生指示情報に基づく再生位置識別画像および前記後続番組再生指示情報に基づく後続再生位置識別画像を生成する識別画像生成手段と、
前記再生位置識別画像および前記後続再生位置識別画像を含む識別画像情報を前記再生指示用端末装置へ送信する識別画像送信手段とを有し、
受信した前記番組再生指示情報および前記後続番組再生指示情報に基づいて生成した前記再生位置識別画像および前記後続再生位置識別画像を含む識別画像情報を前記再生指示用端末装置へ送信し、
前記再生指示用端末装置は、
前記再生位置識別画像および前記後続再生位置識別画像を含む前記識別画像情報を受信して、これらを同一放送番組中の異なる再生開始位置を選択するための選択画面として表示させる選択画面表示手段をさらに有し、
前記選択画面のいずれかが選択されることによって、選択した選択画面に対応する再生開始位置を指定した番組再生指示情報を、前記番組録画再生装置に送信することを特徴とする請求項１〜３のいずれか１つに記載の番組再生指示システム。
【請求項６】
前記再生指示用端末装置で選択した投稿文書に基づいて生成される前記番組再生指示情報に含まれる再生開始位置情報は、該投稿文書の第１投稿時刻よりも予め定めた時間だけ早い時刻であることを特徴とする請求項１〜５のいずれか１つに記載の番組再生指示システム。
【請求項７】
前記投稿時刻は、前記投稿文書に関連する放送番組の放送開始時刻からの経過時間として記録されることを特徴とする請求項１〜６のいずれかに記載の番組再生指示システム。
【請求項８】
予め特定された特定語句を表す特定語句情報と、該特定語句情報に関連づけられた放送番組を表す番組名情報とを含む投稿文書情報を、通信ネットワークを通じて投稿文書サーバ装置へ投稿する投稿用端末装置、および、
前記投稿文書サーバ装置から投稿文書情報を受信し該投稿文書情報に含まれる前記特定語句情報を送信するとともに、複数の放送番組が録画される番組録画再生装置に対し、放送番組を特定するための番組特定情報と、各放送番組中の再生開始位置を指定する再生開始位置情報とを含む番組再生指示情報を送信する再生指示用端末装置と通信するサーバ装置であって、
前記投稿用端末装置から、前記特定語句情報、前記番組名情報、および、前記特定語句情報を含む投稿文書が投稿された時刻を表す投稿時刻情報を受信する指定情報受信手段と、
受信した前記特定語句情報、前記番組名情報、および前記投稿時刻情報を関連づけた特定語句リスト情報を作成する特定語句リスト情報作成手段と、
前記特定語句情報を含む投稿文書が投稿された最も早い第１投稿時刻を表す第１投稿時刻情報を記憶する記憶手段と、
前記再生指示用端末装置から、前記特定語句情報を受信する特定語句受信手段と、
前記再生指示用端末装置から受信した前記特定語句情報と前記特定語句リスト情報と前記第１投稿時刻情報とに基づいて、前記特定語句情報に関連づけられた放送番組に関する前記番組再生指示情報を生成する再生指示情報生成手段と、
前記番組再生指示情報を前記再生指示用端末装置へ送信する情報送信手段とを含むことを特徴とするサーバ装置。
【請求項９】
予め特定された特定語句を表す特定語句情報と、該特定語句情報に関連づけられた放送番組を表す番組名情報とを含む投稿文書情報を、通信ネットワークを通じて投稿文書サーバ装置へ投稿する投稿用端末装置、および、
前記投稿文書サーバ装置から投稿文書情報を受信し該投稿文書情報に含まれる前記特定語句情報を送信するとともに、複数の放送番組が録画される番組録画再生装置に対し、放送番組を特定するための番組特定情報と、各放送番組中の再生開始位置を指定する再生開始位置情報とを含む番組再生指示情報を送信する再生指示用端末装置と通信するサーバ装置であって、
前記投稿用端末装置から前記投稿文書情報、および、該投稿文書が投稿された時刻を表す投稿時刻情報を受信する文書情報受信手段と、
受信した投稿文書情報から、該投稿文書情報に含まれる前記特定語句情報および前記番組名情報を抽出する指定情報抽出手段と、
前記指定情報抽出手段によって抽出した前記特定語句情報および前記番組名情報と、前記投稿時刻情報とを関連づけた特定語句リスト情報を作成する特定語句リスト情報作成手段と、
前記特定語句情報を含む投稿文書が投稿された最も早い第１投稿時刻を表す第１投稿時刻情報を記憶する記憶手段と、
前記再生指示用端末装置から前記特定語句情報を受信する特定語句受信手段と、
前記再生指示用端末装置から受信した前記特定語句情報と前記特定語句リスト情報と前記第１投稿時刻情報とに基づいて、前記特定語句情報に関連づけられた放送番組に関する前記番組再生指示情報を生成する再生指示情報生成手段と、
前記番組再生指示情報を前記再生指示用端末装置へ送信する情報送信手段とを含むことを特徴とするサーバ装置。
【請求項１０】
投稿用端末装置から投稿される投稿文書を表す投稿文書情報が蓄積される投稿文書サーバ装置、
複数の放送番組が録画される番組録画再生装置、および、
前記投稿文書情報に含まれる予め特定された特定語句を表す特定語句情報と、該特定語句情報に関連づけられた放送番組を表す番組名情報と、該特定語句情報を含む投稿文書が投稿された時刻を表す投稿時刻情報とを関連づけた特定語句リスト情報を作成するとともに、前記特定語句情報と前記特定語句リスト情報と前記特定語句情報を含む投稿文書が投稿された最も早い第１投稿時刻を表す第１投稿時刻情報とに基づいて、前記特定語句情報に関連づけられた放送番組を特定するための番組特定情報と、各放送番組中の再生開始位置を指定する再生開始位置情報とを含む番組再生指示情報を生成するサーバ装置と通信する再生指示用端末装置であって、
前記投稿文書情報を前記投稿文書サーバ装置から受信する投稿受信手段と、
受信した前記投稿文書情報を一覧表示させる投稿表示手段と、
前記投稿文書情報の一覧から任意の投稿文書情報を選択する投稿選択手段と、
選択した前記投稿文書情報に含まれる前記特定語句情報を前記サーバ装置へ送信する特定語句送信手段と、
前記サーバ装置から送信される前記番組再生指示情報を受信する情報受信手段と
前記番組再生指示情報を前記番組録画再生装置に送信する再生指示送信手段とを有することを特徴とする再生指示用端末装置。
【請求項１１】
コンピュータを、請求項８または９に記載のサーバ装置として機能させるためのプログラム。
【発明の詳細な説明】
【技術分野】
【０００１】
本発明は、番組録画再生装置に録画された番組の再生開始位置を、通信ネットワークを通じて投稿された投稿文書に基づいて指定することが可能な番組再生指示システム、これに用いるサーバ装置、再生指示用端末装置、および、プログラムに関する。
【背景技術】
【０００２】
近年、mixi（登録商標）、Facebook（登録商標）、Twitter（登録商標）などのＳＮＳ（Social Networking Service）と呼ばれる通信ネットワーク上で提供されるサービスが普及しつつある。ＳＮＳでは、ユーザの所有する端末装置と通信可能なミニブログサーバ装置を設置し、ユーザが端末装置から、ミニブログサーバ装置に対し、コメントと呼ばれる投稿文書を投稿することができ、また各ユーザは、他のユーザが投稿した投稿文書を自由に閲覧可能となっている。
【０００３】
ところで、投稿文書中に、ある放送番組の特定の事項に関する記述があり、これを閲覧したユーザが、番組録画再生装置に録画した番組中から、前記の記述に該当する箇所を探して再生し、視聴したいと思うことがある。しかしながら、通常、ミニブログサーバ装置に投稿される投稿文書は短いものであるため、視聴を希望する放送番組の放送日時や、該当箇所の放送番組内での放映時間帯を特定できる記述が、投稿文書中になされるとは限らない。
【０００４】
このようなユーザの要望に対し、特許文献１および特許文献２に記載の技術がある。特許文献１は、電子掲示板を利用するものであり、通信ネットワーク上に、放送番組を視聴する複数のユーザが番組関連情報を書き込むことができるとともに、書き込まれた関連情報をユーザが閲覧可能な電子掲示板が設置される。各ユーザは、電子掲示板に番組関連情報を書き込む際に、当該番組の放送局、放送時間、および、書き込み内容に関連する箇所の放送時刻を、所定の書式にしたがって登録する。電子掲示板に書き込まれた情報は、データベース化され、ユーザは、電子掲示板を閲覧することで、書き込みに対応付けられた放送番組の放送日時および番組中の再生開始位置に関する情報を取得して、端末装置によって、録画番組中の該当箇所の再生を開始することが可能である、とされている。
【０００５】
また特許文献２には、ミニブログサーバ装置によって放送番組に関連するキーワードを含む投稿文書を投稿時刻と共に収集し、放送番組を所定時間ごとのシーンに区分し、各シーンの時間帯における投稿文書の投稿数をカウントし、投稿数が所定数以上となる複数の注目シーンを抽出し、注目シーンごとに投稿文書に所定数以上含まれるコメントキーワードを抽出し、注目シーンごとに抽出したコメントキーワードをタグ付けする技術が開示されている。かかる特許文献２の技術によれば、ユーザは、連続的に放送される放送番組中から、コメントキーワードを用いて注目シーンを検索できるから、投稿数の多い注目シーンのみを視聴することが可能である、とされている。
【先行技術文献】
【特許文献】
【０００６】
【特許文献１】特開２００７−１９３８２７号公報
【特許文献２】特開２０１２−１５５６９５号公報
【発明の概要】
【発明が解決しようとする課題】
【０００７】
特許文献１に記載の技術は、電子掲示板に番組関連情報を書き込む際に、ユーザが、放送局、放送日時、書き込み関連箇所の放送時刻を、所定の書式にしたがって登録しなくてはならないから、ユーザの負担が大きい。また、同じ注目事項に対する書き込みであっても、書き込み時刻が異なると、指定される再生開始位置が異なる。このため、必ずしも、ユーザが視聴したい事項を適切な再生開始位置から視聴できるとは限らない。さらに、電子掲示板は、１種類の番組ごとに専用に設置されるものであるため、番組を見ていないユーザは、書き込みの内容から、番組中のどのような事項が放映されたかを理解するのが難しいという問題がある。
【０００８】
特許文献２に記載の技術は、放送番組中の所定時間ごとに区分されたシーンのうち、一定数以上の投稿が集まらないシーンには、コメントキーワードがタグ付けされない。したがって、一定数未満の少数のコメントキーワードをもとに、対応する放送番組を検索することができない。また、投稿文書そのものから、放送番組の再生を指示することができないという問題がある。
【０００９】
本発明の目的は、前述の課題を解決するため、投稿文書に基づいて、番組録画再生装置に録画された放送番組を特定し、かつ、放送番組中の再生開始位置を指定することができる番組再生指示システム、これに用いるサーバ装置、再生指示用端末装置、および、プログラムを提供することである。
【課題を解決するための手段】
【００１０】
本発明は、複数の放送番組が録画された番組録画再生装置に対し、放送番組を特定するための番組特定情報と、各放送番組中の再生開始位置を指定する再生開始位置情報とを含む番組再生指示情報を送信する再生指示用端末装置と、該再生指示用端末装置と通信するサーバ装置とを備え、
前記サーバ装置は、
通信ネットワークを通じて投稿文書サーバ装置へ投稿文書情報として投稿される放送番組に関する投稿文書中の、予め特定された特定語句を表す特定語句情報を、該放送番組と関連づけて収集する特定語句収集手段と、
収集した該特定語句情報と該放送番組とを関連づけた特定語句リスト情報を作成する特定語句リスト情報作成手段と、
前記特定語句リスト情報、および、前記特定語句情報を含む投稿文書が投稿された最も早い第１投稿時刻を表す第１投稿時刻情報を記憶する記憶手段と、
前記特定語句リスト情報および前記第１投稿時刻情報に基づいて、前記特定語句情報に関連づけられた放送番組に関する前記番組特定情報および前記再生開始位置情報を含む番組再生指示情報を生成する再生指示情報生成手段と、
前記番組再生指示情報を送信する情報送信手段と、
前記特定語句情報を受信する特定語句受信手段とを有し、
前記再生指示用端末装置は、
前記投稿文書情報を前記投稿文書サーバ装置から受信する投稿受信手段と、
受信した前記投稿文書情報を一覧表示させる投稿表示手段と、
前記投稿文書情報の一覧から任意の投稿文書情報を選択する投稿選択手段と、
選択した前記投稿文書情報に含まれる特定語句情報を前記サーバ装置へ送信する特定語句送信手段と、
前記サーバ装置から前記番組再生指示情報を受信する情報受信手段と
前記番組再生指示情報を前記番組録画再生装置へ送信する再生指示送信手段とを有し、
前記再生指示用端末装置が、前記投稿選択手段によって選択した任意の投稿文書情報に含まれる特定語句情報を、前記特定語句送信手段によって前記サーバ装置へ送信すると、
前記サーバ装置が、前記特定語句受信手段によって受信した該特定語句情報に対応する番組再生指示情報を、前記再生指示情報生成手段によって生成し、該番組再生指示情報を前記情報送信手段によって前記再生指示用端末装置へ送信し、
前記再生指示用端末装置は、前記情報受信手段によって受信した前記番組再生指示情報を、前記再生指示送信手段によって、前記番組録画再生装置へ送信することを特徴とする番組再生指示システムである。
【００１１】
また本発明は、通信ネットワークを通じて、予め特定された特定語句を表す特定語句情報および該特定語句情報に関連づけられた放送番組を表す番組名情報を含む投稿文書情報を、投稿文書サーバ装置へ投稿するための投稿文書送信手段と、
前記投稿文書情報に含まれる前記特定語句情報および該特定語句情報に関連する放送番組名を表す番組名情報を指定する語句指定手段と、
指定された前記特定語句情報、前記番組名情報、および、前記特定語句情報を含む投稿文書情報が投稿された時刻を表す投稿時刻情報を、前記サーバ装置へ送信する指定情報送信手段とを有する投稿用端末装置をさらに含み、
前記サーバ装置は、
前記投稿用端末装置から送信される前記特定語句情報、前記番組名情報、および前記投稿時刻情報を受信する指定情報受信手段をさらに含み、
前記指定情報受信手段によって受信した前記特定語句情報、前記番組名情報、および前記投稿時刻情報に基づいて、前記特定語句リスト情報を作成することを特徴とする。
【００１２】
また本発明は、通信ネットワークを通じて、予め特定された特定語句を表す特定語句情報および該特定語句情報に関連づけられた放送番組を表す番組名情報を含む投稿文書情報を、投稿文書サーバ装置へ投稿するための投稿文書送信手段と、
前記投稿文書情報を前記サーバ装置へも送信するための第２投稿文書送信手段とを有する投稿用端末装置をさらに含み、
前記サーバ装置は、
前記投稿用端末装置から送信される前記投稿文書情報、および、前記投稿文書情報が投稿された時刻を表す投稿時刻情報を受信する文書情報受信手段と、
受信した投稿文書情報から、該投稿文書情報に含まれる前記特定語句情報および前記番組名情報を抽出する指定情報抽出手段をさらに含み、
前記指定情報抽出手段によって抽出した前記特定語句情報および前記番組名情報と、前記投稿時刻情報とに基づいて、前記特定語句リスト情報を作成することを特徴とする。
【００１３】
また本発明は、前記サーバ装置が、
前記記憶手段によって、前記特定語句を含む複数の投稿文書の投稿時刻のうち、前記第１投稿時刻から予め定めた時間以上が経過した後続投稿時刻を後続投稿時刻情報としてさらに記憶し、
前記再生指示情報生成手段によって、前記番組再生指示情報とともに、前記後続投稿時刻情報に基づいて、前記特定語句に対応する放送番組中の異なる再生開始位置を指定する後続再生開始位置情報を含む後続番組再生指示情報をさらに生成し、
前記情報送信手段によって、前記再生指示用端末装置へ、前記番組再生指示情報とともに、前記後続番組再生指示情報を送信し、
前記再生指示用端末装置は、
受信した前記番組再生指示情報および前記後続番組再生指示情報に基づいて、同一放送番組中の異なる再生開始位置を選択するための選択画面を表示させる選択画面表示手段をさらに有し、
前記選択画面のいずれかが選択されることによって、選択された選択画面に対応する再生開始位置を指定した番組再生指示情報を、前記番組録画再生装置に送信することを特徴とする。
【００１４】
また本発明は、前記サーバ装置が、
前記記憶手段によって、前記特定語句を含む複数の投稿文書の投稿時刻のうち、前記第１投稿時刻から予め定めた時間以上が経過した後続投稿時刻を後続投稿時刻情報としてさらに記憶し、
前記再生指示情報生成手段によって、前記番組再生指示情報とともに、前記後続投稿時刻情報に基づいて、前記特定語句に対応する放送番組中の異なる再生開始位置を指定する後続再生開始位置情報を含む後続番組再生指示情報をさらに生成し、
前記情報送信手段によって、前記番組再生指示情報とともに前記後続番組再生指示情報を、前記再生指示用端末装置へ送信し、
前記再生指示用端末装置は、
受信した前記番組再生指示情報および前記後続番組再生指示情報を、前記番組録画再生装置へ送信し、
前記番組録画再生装置は、
前記番組再生指示情報および前記後続番組再生指示情報を受信する番組再生情報取得手段と、
前記番組再生指示情報に基づく再生位置識別画像および前記後続番組再生指示情報に基づく後続再生位置識別画像を生成する識別画像生成手段と、
前記再生位置識別画像および前記後続再生位置識別画像を含む識別画像情報を前記再生指示用端末装置へ送信する識別画像送信手段とを有し、
受信した前記番組再生指示情報および前記後続番組再生指示情報に基づいて生成した前記再生位置識別画像および前記後続再生位置識別画像を含む識別画像情報を前記再生指示用端末装置へ送信し、
前記再生指示用端末装置は、
前記再生位置識別画像および前記後続再生位置識別画像を含む前記識別画像情報を受信して、これらを同一放送番組中の異なる再生開始位置を選択するための選択画面として表示させる選択画面表示手段をさらに有し、
前記選択画面のいずれかが選択されることによって、選択した選択画面に対応する再生開始位置を指定した番組再生指示情報を、前記番組録画再生装置に送信することを特徴とする。
【００１５】
また本発明は、前記再生指示用端末装置で選択した投稿文書に基づいて生成される前記番組再生指示情報に含まれる再生開始位置情報が、該投稿文書の第１投稿時刻よりも予め定めた時間だけ早い時刻であることを特徴とする。
【００１６】
また本発明は、前記投稿時刻が、前記投稿文書に関連する放送番組の放送開始時刻からの経過時間として記録されることを特徴とする。
【００１７】
また本発明は、予め特定された特定語句を表す特定語句情報と、該特定語句情報に関連づけられた放送番組を表す番組名情報とを含む投稿文書情報を、通信ネットワークを通じて投稿文書サーバ装置へ投稿する投稿用端末装置、および、
前記投稿文書サーバ装置から投稿文書情報を受信し該投稿文書情報に含まれる前記特定語句情報を送信するとともに、複数の放送番組が録画される番組録画再生装置に対し、放送番組を特定するための番組特定情報と、各放送番組中の再生開始位置を指定する再生開始位置情報とを含む番組再生指示情報を送信する再生指示用端末装置と通信するサーバ装置であって、
前記投稿用端末装置から、前記特定語句情報、前記番組名情報、および、前記特定語句情報を含む投稿文書が投稿された時刻を表す投稿時刻情報を受信する指定情報受信手段と、
受信した前記特定語句情報、前記番組名情報、および前記投稿時刻情報を関連づけた特定語句リスト情報を作成する特定語句リスト情報作成手段と、
前記特定語句情報を含む投稿文書が投稿された最も早い第１投稿時刻を表す第１投稿時刻情報を記憶する記憶手段と、
前記再生指示用端末装置から、前記特定語句情報を受信する特定語句受信手段と、
前記再生指示用端末装置から受信した前記特定語句情報と前記特定語句リスト情報と前記第１投稿時刻情報とに基づいて、前記特定語句情報に関連づけられた放送番組に関する前記番組再生指示情報を生成する再生指示情報生成手段と、
前記番組再生指示情報を前記再生指示用端末装置へ送信する情報送信手段とを含むことを特徴とするサーバ装置を提供する。
【００１８】
また本発明は、予め特定された特定語句を表す特定語句情報と、該特定語句情報に関連づけられた放送番組を表す番組名情報とを含む投稿文書情報を、通信ネットワークを通じて投稿文書サーバ装置へ投稿する投稿用端末装置、および、
前記投稿文書サーバ装置から投稿文書情報を受信し該投稿文書情報に含まれる前記特定語句情報を送信するとともに、複数の放送番組が録画される番組録画再生装置に対し、放送番組を特定するための番組特定情報と、各放送番組中の再生開始位置を指定する再生開始位置情報とを含む番組再生指示情報を送信する再生指示用端末装置と通信するサーバ装置であって、
前記投稿用端末装置から前記投稿文書情報、および、該投稿文書が投稿された時刻を表す投稿時刻情報を受信する文書情報受信手段と、
受信した投稿文書情報から、該投稿文書情報に含まれる前記特定語句情報および前記番組名情報を抽出する指定情報抽出手段と、
前記指定情報抽出手段によって抽出した前記特定語句情報および前記番組名情報と、前記投稿時刻情報とを関連づけた特定語句リスト情報を作成する特定語句リスト情報作成手段と、
前記特定語句情報を含む投稿文書が投稿された最も早い第１投稿時刻を表す第１投稿時刻情報を記憶する記憶手段と、
前記再生指示用端末装置から前記特定語句情報を受信する特定語句受信手段と、
前記再生指示用端末装置から受信した前記特定語句情報と前記特定語句リスト情報と前記第１投稿時刻情報とに基づいて、前記特定語句情報に関連づけられた放送番組に関する前記番組再生指示情報を生成する再生指示情報生成手段と、
前記番組再生指示情報を前記再生指示用端末装置へ送信する情報送信手段とを含むことを特徴とするサーバ装置を提供する。
【００１９】
また本発明は、投稿用端末装置から投稿される投稿文書を表す投稿文書情報が蓄積される投稿文書サーバ装置、
複数の放送番組が録画される番組録画再生装置、および、
前記投稿文書情報に含まれる予め特定された特定語句を表す特定語句情報と、該特定語句情報に関連づけられた放送番組を表す番組名情報と、該特定語句情報を含む投稿文書が投稿された時刻を表す投稿時刻情報とを関連づけた特定語句リスト情報を作成するとともに、前記特定語句情報と前記特定語句リスト情報と前記特定語句情報を含む投稿文書が投稿された最も早い第１投稿時刻を表す第１投稿時刻情報とに基づいて、前記特定語句情報に関連づけられた放送番組を特定するための番組特定情報と、各放送番組中の再生開始位置を指定する再生開始位置情報とを含む番組再生指示情報を生成するサーバ装置と通信する再生指示用端末装置であって、
前記投稿文書情報を前記投稿文書サーバ装置から受信する投稿受信手段と、
受信した前記投稿文書情報を一覧表示させる投稿表示手段と、
前記投稿文書情報の一覧から任意の投稿文書情報を選択する投稿選択手段と、
選択した前記投稿文書情報に含まれる前記特定語句情報を前記サーバ装置へ送信する特定語句送信手段と、
前記サーバ装置から送信される前記番組再生指示情報を受信する情報受信手段と
前記番組再生指示情報を前記番組録画再生装置に送信する再生指示送信手段とを有することを特徴とする再生指示用端末装置を提供する。
【００２０】
また本発明は、コンピュータを、前記サーバ装置として機能させるためのプログラムを提供する。
【発明の効果】
【００２１】
本発明によれば、サーバ装置が、放送番組に関する投稿文書情報中の特定語句情報を該放送番組と関連づけて収集して、特定語句と放送番組とを関連づけた特定語句リスト情報を作成し、特定語句リスト情報および特定語句に対する第１投稿時刻情報を記憶する。再生指示用端末装置において、受信した投稿文書情報に基づいて表示させる投稿文書の一覧から任意の投稿文書を選択すると、この投稿文書に含まれる特定語句情報がサーバ装置へ送信され、サーバ装置は、特定語句リスト情報と第１投稿時刻情報とに基づき、該特定語句情報に対応する番組再生指示情報を生成し、再生指示用端末装置へ送信する。再生指示用端末装置は、受信した番組再生指示情報を番組録画再生装置へ送信し、番組録画再生装置は、番組再生指示情報に基づいて指定された再生開始位置から、録画番組の再生を開始する。
【００２２】
番組再生指示情報には、番組特定情報と再生開始位置情報とが含まれ、再生開始位置情報は、第１投稿時刻情報に基づく。つまり、特定語句に対応する箇所の放送時刻から長時間の経過後に投稿された投稿文書を選択した場合であっても、選択した投稿文書と共通の特定語句を含む投稿文書の最も早い投稿時刻である第１投稿時刻に基づいて、再生開始位置が指定される。よって、含まれる特定語句が共通ならば、どの時刻に投稿された投稿文書を選択しても、同一の放送番組を同一の再生開始位置から再生することができる。そして、この再生開始位置は、特定語句に関連する事項が放送番組中で最初に放映された時刻にほぼ等しいと考えることができる。
【００２３】
したがって、投稿文書を選択するだけで、投稿文書に含まれる特定事項に関連する事項が録画されている放送番組と、録画番組中における該当事項の再生開始位置とが自動的に指定されて、番組再生がなされるから、ユーザは、視聴したいと考える事項が、どの番組のどの箇所に録画されているかを、たとえば録画番組を早送り再生して目視により検索する煩わしさから解放される。この効果は、特に長時間の放送番組を録画したときに、大きな利点をもたらす。
【００２４】
なお、同一の放送番組に対し、同一の語句を特定語句とする多数の投稿文書が投稿された結果、１つの放送番組に、特定語句を共通とする多数の投稿文書が関連づけられる場合がある。しかし、そのような場合でも、第１投稿時刻情報に基づいて再生開始位置を指定するから、１つの放送番組に関連づけられた多数の投稿文書のいずれを選択しても、録画番組の再生開始位置について混乱を招くおそれがない。
【００２５】
また本発明によれば、放送番組に関する投稿文書を投稿するとともに、投稿文書に含まれる特定語句および放送番組名を指定してサーバ装置へ送信する投稿用端末装置をさらに含むので、サーバ装置は、送信された特定語句情報および番組名情報とに基づいて、特定語句リスト情報を作成することができる。
【００２６】
また本発明によれば、サーバ装置が、投稿用端末装置が投稿文書サーバへ投稿する投稿文書情報と同じ投稿文書情報を、投稿用端末装置から受信し、この投稿文書情報から、これに含まれる特定語句情報、番組名情報、および、投稿時刻情報に基づいて特定語句リスト情報を作成するから、投稿用端末装置の処理動作を簡単にすることができる。
【００２７】
また本発明によれば、サーバ装置が、複数の投稿文書の投稿時刻のうち、第１投稿時刻から予め定めた時間以上が経過した後続投稿時刻を後続投稿時刻情報としてさらに記憶し、この後続投稿時刻情報に基づいて放送番組中の異なる再生開始位置を指定する後続再生開始位置情報を含む後続番組再生指示情報をさらに生成し、再生指示用端末装置に、同一放送番組中の異なる再生開始位置を選択するための選択画面を表示させることができるので、たとえば放送番組が長時間にわたる場合において、特定語句に関する事項が複数回放映されたときに、それらを漏らさず視聴することが可能となる。
【００２８】
また本発明によれば、番組再生指示情報および後続番組再生指示情報を番組録画再生装置へ送信し、番組録画再生装置が生成する再生位置識別画像および後続再生位置識別画像を含む画像識別情報を再生指示用端末装置へ送信し、再生指示用端末装置は、再生位置識別画像および後続再生位置識別画像を、同一放送番組中の異なる再生開始位置を選択するための選択画面として表示させるので、たとえば放送番組が長時間にわたる場合において、特定語句に関する事項が時間を置いて複数回放映されたときに、それらを漏らさず視聴することが可能となる。また、再生位置識別画像および後続再生位置識別画像は、番組録画再生装置で生成するから、録画番組の映像を利用することにより、録画内容を理解しやすい識別画像を生成することができる。
【００２９】
また本発明によれば、番組再生指示信号に含まれる再生開始位置情報を、特定語句に対応する第１投稿時刻よりも予め定めた時間だけ早い時刻とするので、ユーザが、放送番組を視聴してから、投稿文書を投稿するまでの時間差を考慮した再生開始位置の指定が可能である。
【００３０】
また本発明によれば、投稿時刻を、投稿文書に関連する放送番組の放送開始時刻からの経過時間として記録するので、番組録画再生装置において、録画番組中の再生開始位置を指定する処理が容易になる。
【００３１】
さらに本発明によれば、前記番組再生指示システムの実施を可能にするサーバ装置、再生用端末装置、および、プログラムを提供することができる。
【図面の簡単な説明】
【００３２】
【図１】本発明の一実施形態に係る番組再生指示システムの全体を概略的に示す概略構成図である。
【図２】サーバ装置Ｓ１の概略構成を示すブロック図である。
【図３】再生指示用端末装置Ａの概略構成を示すブロック図である。
【図４】投稿用端末装置Ｂの動作を説明するフローチャートである。
【図５】投稿用端末装置Ｂから特定語句情報および番組名情報を受信したときのサーバ装置Ｓ１の動作を説明するフローチャートである。
【図６】再生指示用端末装置Ａから特定語句情報を受信したときのサーバ装置Ｓ１の動作を説明するフローチャートである。
【図７】本実施形態に係る番組再生指示システムによって番組再生指示を行うときの動作を説明するフローチャートである。
【図８】図８（ａ）は投稿用端末装置Ｂの動作状況を説明する正面図、図８（ｂ）は再生指示用端末装置Ａの動作状況を説明する正面図、図８（ｃ）は投稿用端末装置Ｂおよび番組録画再生装置Ｒの動作状況を説明する正面図である、
【図９】本発明の第２の実施形態に係るものであって、投稿用端末装置Ｂから特定語句情報および番組名情報を受信したときのサーバ装置Ｓ１の動作を説明するフローチャートである。
【図１０】本発明の第２の実施形態に係るものであって、再生指示用端末装置Ａから特定語句情報を受信したときのサーバ装置Ｓ１の動作を説明するフローチャートである。
【図１１】本発明の第２の実施形態に係る番組再生指示システムによって番組再生指示を行うときの動作を説明するフローチャートである。
【図１２Ａ】本発明の第３の実施形態に係るものであって、番組再生指示を行うときの再生指示用端末装置Ａが行う動作を説明するフローチャートである。
【図１２Ｂ】本発明の第３の実施形態に係るものであって、番組再生指示を行うときのサーバ装置Ｓ１および番組録画再生装置Ｒが行う動作を説明するフローチャートである。
【図１３】再生指示用端末装置Ａの表示部２１を示す正面図である。
【図１４】再生される録画番組を表示するテレビＴ２の正面図である。
【図１５】再生指示用端末装置Ａを、番組録画再生装置Ｒのリモコンとして機能させる場合の正面図である。
【発明を実施するための形態】
【００３３】
（第１の実施形態）
図１は、本発明の第１の実施形態に係る番組再生指示システムの全体を概略的に示す概略構成図、図２は、サーバ装置Ｓ１の概略構成を示すブロック図、図３は、再生指示用端末装置Ａの概略構成を示すブロック図である。なお、図示する再生指示用端末装置Ａの構成は、投稿用端末装置Ｂとしても使用可能なものである。
【００３４】
図１に示すように、本実施形態に係る番組再生指示システムは、再生指示用端末装置Ａと、投稿用端末装置Ｂと、サーバ装置Ｓ１と、投稿文書サーバ装置Ｓ２と、番組録画再生装置Ｒとを含んで成る。再生指示用端末装置Ａおよび投稿用端末装置Ｂはいずれも、サーバ装置Ｓ１および投稿文書サーバ装置Ｓ２と通信可能であり、再生指示用端末装置Ａはさらに、番組録画再生装置Ｒと通信可能である。図示は省略するが、番組録画再生装置Ｒには、テレビ受像機やディスプレイ装置が接続される。さらに番組録画再生装置Ｒは、テレビ受像機に内蔵されるものであってもよい。なお図面には、再生指示用端末装置Ａと投稿用端末装置Ｂとを別個のものとして示したが、１つの端末装置が、両者の機能を兼ね備えるものであってもよい。以下、本実施形態に係る番組再生指示システムを構成する各装置について説明する。
【００３５】
（サーバ装置）
サーバ装置Ｓ１は、たとえばサーバ用コンピュータによって実現され、通信部１０、制御部１１、一時記憶部１２、主記憶部１３を含んで構成される。通信部１０は、インターネットや公衆無線通信回線などの通信ネットワークを介して、再生指示用端末装置Ａおよび投稿用端末装置Ｂと通信するためのインターフェースとして機能する。なおサーバ装置Ｓ１は、イーサネット（登録商標）などによって構築した閉域ネットワーク内に設置し、ファイアウォールを介して、インターネットや公衆無線通信回線などと接続することが望ましい。
【００３６】
制御部１１は、サーバ装置Ｓ１の全体的な動作を統括的に制御する処理部であり、たとえばＣＰＵ（Central Processing Unit）によって実現される。制御部１１は、サーバ装置Ｓ１において行われる各種の処理が、主記憶部１３に記憶される各種プログラムに基づいて適切に実行されるように、各部の動作を制御する。
【００３７】
一時記憶部１２は、制御部１１において各種動作を実行する際に必要なデータやプログラムを一時的に記憶するためのものであり、サーバ装置Ｓ１に電源が供給されている間のみデータ保持が可能なＳＲＡＭ（Static Random Access Memory）またはＤＲＡＭ（Dynamic Random Access Memory）のほか、サーバ装置Ｓ１への電源供給が遮断された状態でも記録したデータを保持し続けることが可能なフラッシュメモリなどによって実現される。一時記憶部１２に記憶されるデータは、番組再生指示情報、後続番組再生指示情報、特定語句情報、番組名情報などである。
【００３８】
主記憶部１３は、サーバ装置Ｓ１の各種動作を実行させるために必要なプログラムとデータとを保持するものであって、ハードディスク装置やＳＳＤ（Solid State Drive）などによって実現される。主記憶部１３に記憶されるプログラムは、サーバ装置Ｓ１の基本的な機能を実現するオペレーティングシステムプログラムのほか、投稿文書中の予め特定された特定語句を放送番組と関連づけて収集する特定語句収集プログラム、収集した特定語句と該放送番組との関連づけから特定語句リスト情報を作成する特定語句リスト情報作成プログラム、特定語句を含む投稿文書の投稿時刻から第１投稿時刻および後続投稿時刻を取得する投稿時刻情報取得プログラム、特定語句リスト情報および第１投稿時刻情報に基づいて番組再生指示情報を生成するとともに、後続投稿時刻情報に基づいて後続番組再生指示情報を生成する再生指示情報生成プログラムなどである。また、主記憶部１３に記憶されるデータは、サーバ装置Ｓ１を動作させるのに必要な各種設定情報のほか、特定語句リスト情報、各特定語句に対応する第１投稿時刻情報、後続投稿時刻情報、番組特定情報、などである。
【００３９】
サーバ装置Ｓ１の特定語句収集手段は、通信部１０、制御部１１および主記憶部１３によって実現される。記憶手段は、主記憶部１３によって実現される。特定語句リスト情報作成手段、および、再生指示情報生成手段は、制御部１１、一時記憶部１２および主記憶部１３によって実現される。情報送信手段、特定語句受信手段および指定情報受信手段は、通信部１０によって実現される。
【００４０】
（再生指示用端末装置）
再生指示用端末装置Ａは、スマートフォン装置、携帯電話装置、ＰＤＡ（Personal Digital Assistants）、タブレット型ＰＣ（Personal Computer）、ノート型ＰＣなどで実現され、通信部２０、表示部２１、操作部２２、制御部２３、一時記憶部２４、主記憶部２５、アンテナ３０などを含んで成る。
【００４１】
通信部２０およびアンテナ３０は、サーバ装置Ｓ１、投稿文書サーバ装置Ｓ２、および番組録画再生装置Ｒと通信するためのものである。本実施形態では無線通信を想定しているが、有線通信とすることも可能である。サーバ装置Ｓ１および投稿文書サーバ装置Ｓ２とは、インターネットまたは公衆無線通信回線を利用して通信する。通信方式には、特に制限はないが、IEEE802.11に規定される無線通信規格を採用してもよい。また、番組録画再生装置Ｒとの通信には、赤外線通信方式のほか、bluetooth（登録商標）を利用してもよい。
【００４２】
表示部２１は、たとえば液晶表示装置などによって実現され、投稿文書や画像データを表示するためのものである。
【００４３】
操作部２２は、たとえば再生指示用端末装置Ａの表面上に設けたキーボードや、表示部２１の表面に設けたタッチパネルなどによって実現される。
【００４４】
制御部２３は、再生指示用端末装置Ａの全体的な動作を統括的に制御するためのものであり、たとえばＣＰＵによって実現される。制御部２３は、再生指示用端末装置Ａにおいて行われる各種の処理が、主記憶部２５に記憶される各種プログラムに基づいて適切に実行されるように、各部の動作を制御する。
【００４５】
一時記憶部２４は、制御部２３において各種動作を実行する際に必要なデータやプログラムを一時的に記憶するためのものであり、電源が供給されている間のみデータ保持が可能なＳＲＡＭ（Static Random Access Memory）またはＤＲＡＭ（Dynamic Random Access Memory）のほか、電源供給が遮断された状態でも記録したデータを保持し続けることが可能なフラッシュメモリなどによって実現される。一時記憶部２４に記憶されるデータは、投稿文書一覧情報、特定語句情報、番組再生指示情報、後続番組再生指示情報、選択画面情報、再生位置識別画像情報、後続再生位置識別画像情報などである。
【００４６】
主記憶部２５は、再生指示用端末装置Ａの各種動作を実行させるために必要なプログラムとデータとを保持するものであって、ハードディスク装置、ＳＳＤ（Solid State Drive）、フラッシュメモリなどによって実現される。主記憶部２５に記憶されるプログラムは、オペレーティングシステムプログラムのほか、投稿文書サーバ装置Ｓ２から投稿文書情報を受信し、受信した投稿文書情報に基づいて投稿文書を一覧表示させ、投稿文書の一覧から任意の投稿文書を選択し、選択した投稿文書から特定語句を抽出し、抽出した特定語句を表す特定語句情報をサーバ装置Ｓ１へ送信するという、投稿文書に関する一連の処理を実行させる投稿文書処理プログラム、サーバ装置Ｓ１から番組再生指示情報を受信し、これを番組録画再生装置Ｒへ送信する再生指示プログラム、同一放送番組中の異なる再生開始位置を選択するための選択画面を表示させる選択画面表示プログラムなどである。主記憶部２５に記憶されるデータは、再生指示用端末装置Ａを動作させるのに必要な、各種設定情報などである。
【００４７】
再生指示用端末装置Ａの投稿受信手段、特定語句送信手段、情報受信手段および再生指示送信手段は、通信部２０によって実現される。投稿表示手段および選択画面表示手段は、表示部２１によって実現される。投稿選択手段は、表示部２１、操作部２２および制御部２３によって実現される。投稿文書情報から特定語句情報を抽出するための特定語句抽出手段を設ける場合、これは、制御部２３によって実現される。
【００４８】
（投稿用端末装置）
投稿用端末装置Ｂは、図３の再生指示用端末装置Ａと共通の構成によって実現することができる。ただし、投稿用端末装置Ｂとしては、番組録画再生装置Ｒとの通信機能が不要であるから、通信部２０は、サーバ装置Ｓ１、および、後述する投稿文書サーバ装置Ｓ２と通信可能であればよい。
【００４９】
投稿用端末装置Ｂは、主記憶部２５に記憶されるプログラムが、再生指示用端末装置Ａと異なる。すなわち主記憶部２５には、投稿用文章を作成するとともに、投稿文書中の特定の語句および放送番組名を指定し、作成した投稿用文章を通信ネットワークを通じて投稿文書サーバ装置Ｓ２に投稿するという、投稿文書に関する一連の処理を行うための投稿文書作成送信プログラム、投稿文書中の指定した特定語句情報、番組名情報、および、該特定語句情報を含む投稿文書情報が投稿された時刻を表す投稿時刻情報を、サーバ装置Ｓ１へ送信する指定情報送信プログラムなどが記憶される。
【００５０】
投稿用端末装置Ｂの投稿文書送信手段および指定情報送信手段は、制御部２３によって実現される。語句指定手段は、表示部２１、操作部２２および制御部２３によって実現される。
【００５１】
投稿者が投稿文書中の特定語句を指定する方法は、たとえばＴｗｉｔｔｅｒサービスにおいては、特定語句の頭に半角スペースとハッシュ「＃」（半角）とを付すことにより、その語句をハッシュタグと称される識別情報とする方法が採用されている。すなわち、特定語句にハッシュタグを付す操作が、Ｔｗｉｔｔｅｒサービスでは、特定語句の指定に相当する。投稿者が、投稿文書中の特定語句にハッシュタグを付すことにより、話題の共通化、および、投稿文書のグループ化とを行うことができる。
【００５２】
投稿文書中の特定語句を指定するのに用いる記号は、「＃」に限定されるものでなく、「＊」「※」「￥」など、他の記号を用いることも可能である。この場合、使用する記号は、投稿文書を作成する際の使用頻度がなるべく低いものを使用することが望ましい。また記号ではなく、予め定めた固定文字列、たとえば「Program Title」のような文字列を、特定語句に付す方法も可能である。この場合、特定語句を指定するか、または、固定文字列の挿入位置を指定すると、投稿用端末装置Ｂの投稿文書作成送信プログラムによって、自動的に固定文字列「Program Title」が生成され、特定語句の語頭に付与されるよう設定してもよい。さらに、特定語句を括弧［］や{}などで囲むことにより、特定語句を指定する方法も可能である。さらにまた、投稿文書サーバが、ブログサーバや動画提供サーバなどのごとく、タグ機能を利用できるサーバ装置の場合は、投稿文書中の特定語句にタグを付して、特定語句を指定する方法も可能である。
【００５３】
（投稿文書サーバ装置）
投稿文書サーバ装置Ｓ２は、投稿用端末装置Ｂから投稿文書情報として投稿された投稿文書を蓄積し、データベース化して保存するものである。ＳＮＳにおいては、ミニブログサーバ装置やブログサーバ装置が、投稿文書サーバ装置Ｓ２に相当する。
【００５４】
投稿文書サーバ装置Ｓ２に蓄積される投稿文書データそれぞれには、投稿者の名前を示すユーザ名、投稿内容を示すメッセージ本文、投稿日時の３つの属性情報とともに、投稿者が投稿用端末装置Ｂにおいて特定語句を指定した識別情報が含まれる。
【００５５】
（番組録画再生装置）
番組録画再生装置Ｒは、ハードディスクレコーダ、ＤＶＤ（Digital Versatile Disk）レコーダ、ブルーレイレコーダなど、既存の録画再生装置を使用することが可能である。なお、多種類の特定語句に対して番組再生を可能とするには、同時に多数の放送局の番組を録画できる機能を有することが望ましく、さらには、全ての放送局の番組を同時に録画可能な、全録機能を有していればより望ましい。
【００５６】
（動作）
図４は、投稿用端末装置Ｂの動作を説明するフローチャート、図５は、投稿用端末装置Ｂから特定語句情報および番組名情報を受信したときのサーバ装置Ｓ１の動作を説明するフローチャート、図６は、再生指示用端末装置Ａから特定語句情報を受信したときのサーバ装置Ｓ１の動作を説明するフローチャート、図７は、本実施形態に係る番組再生指示システムによって番組再生指示を行うときの動作を説明するフローチャート、図８（ａ）は投稿用端末装置Ｂの動作状況を説明する正面図、図８（ｂ）は再生指示用端末装置Ａの動作状況を説明する正面図、図８（ｃ）は投稿用端末装置Ｂおよび番組録画再生装置Ｒの動作状況を説明する正面図である。
【００５７】
本実施形態に係る番組再生指示システムは、以下のように動作する。放送番組を視聴するユーザが、放送番組中の特定の事項に関し投稿する場合、はじめに、図４のステップＰ１に示すように、投稿用端末装置Ｂの投稿文書作成手段によって投稿用文章を作成し、次いでステップＰ２に示すように、語句指定手段によって、文章中の特定語句および関連する放送番組名を指定する。これを具体例を挙げて説明すると、たとえばＴｗｉｔｔｅｒサービスを利用するユーザが、図８（ａ）に示すごとく、テレビＴ１を視聴中に、番組「○○ニュース」で放映された「△△事件」に関心を持ち、投稿用端末装置Ｂで「○○ニュース  △△事件  そういえばこんな話あったっけ」という文章を作成するとともに、「○○ニュース」と「△△事件」とに「＃」を付してハッシュタグを作成する。そしてステップＰ３に示すように、この文章を投稿文書情報として、投稿文書送信手段によって投稿文書サーバ装置Ｓ２へ送信する。投稿文書サーバ装置Ｓ２は、ステップＰ４に示すように、投稿文書情報を受信し、ステップＰ５に示すように、受信した投稿文書情報を保存し蓄積してデータベース化する。
【００５８】
投稿用端末装置Ｂは、投稿文書の送信に続いて、ステップＰ６に示すように、投稿文書中の指定した特定語句および放送番組名を抽出する。前述の例では、「○○ニュース」が番組名、「△△事件」が特定語句にそれぞれ該当する。引き続き投稿用端末装置Ｂは、ステップＰ７に示すように、指定情報生成手段によって、特定語句を表す特定語句情報と、放送番組名を表す番組名情報とを生成し、ステップＰ８に示すように、指定情報送信手段によって、この特定語句情報および番組名情報を、投稿文書の投稿時刻情報とともに、サーバ装置Ｓ１へ送信する。
【００５９】
サーバ装置Ｓ１は、ステップＰ９に示すように、指定情報受信手段によって、投稿用端末装置Ｂから、特定語句情報、番組名情報および投稿時刻情報を受信し、ステップＰ１０に示すように、特定語句収集手段によって、特定語句情報、番組名情報および投稿時刻情報に基づき、特定語句リスト情報を作成する。
【００６０】
図１に例示するごとく、特定語句リスト情報は、特定語句と、特定語句に関連づけられる放送番組名と、特定語句を含む投稿文書の投稿時刻とを含んでなる。本実施形態では、特定語句を含む投稿文書の最も早い投稿時刻を、第１投稿時刻情報として記憶するように設定した。これは図５に示すごとく、サーバ装置Ｓ１において、ステップＰ１１に示すように、指定情報受信手段によって、投稿用端末装置Ｂから特定語句情報、番組名情報および投稿時刻情報を受信したときに、ステップＰ１２に示すように、同一の特定語句がすでに保存されているかどうかを判断し、同一の特定語句が保存されていない場合は、ステップＰ１５へ進んで、該特定語句を、関連する放送番組名と投稿時刻とともに、特定語句リスト情報に記録する。
【００６１】
ステップＰ１２において、すでに同一の特定語句が保存されている場合は、ステップＰ１３に進んで、取得した特定語句の投稿時刻と、既に保存されている特定語句の投稿時刻とを比較する。既に保存されている特定語句の投稿時刻の方が早い場合は、ステップＰ１１へ戻る。新たに取得した特定語句の投稿時刻の方が早い場合、または両者の投稿時刻が同時の場合は、ステップＰ１４へ進んで、既に保存されている特定語句情報を削除し、ステップＰ１５へ進んで、新たに取得した特定語句情報を特定語句リスト情報に記録する。前記の処理を行うことにより、特定語句リスト情報に記録される特定語句に対応する投稿時刻情報を、最も早い投稿時刻である第１投稿時刻とすることができる。
【００６２】
サーバ装置Ｓ１は、再生指示用端末装置Ａから番組再生指示情報の提供を要求されたとき、図６に示す処理を実行する。再生指示用端末装置Ａは、特定語句送信手段によって、サーバ装置Ｓ１へ特定語句情報を送信することで、番組再生指示情報の提供を要求する。この特定語句情報には、ユーザの関心事項と関連する特定語句と、好ましくは、放送番組名とが含まれる。再生指示用端末装置Ａがサーバ装置Ｓ１へ特定語句情報を送信するステップについては、後述する。
【００６３】
サーバ装置Ｓ１は、ステップＰ２０で、特定語句受信手段によって特定語句情報を受信すると、ステップＰ２１において、特定語句リスト情報を参照して、特定語句に複数の投稿時刻が存在するかどうかを判断する。受信した特定語句に対し、複数の投稿時刻情報が存在しないときは、ステップＰ２２へ進み、再生指示情報生成手段によって、特定語句リスト情報に基づき、特定語句に関連づけられた放送番組を特定する番組特定情報と、特定語句の投稿時刻情報に基づく再生開始位置情報とを含む番組再生指示情報を生成し、ステップＰ２３へ進んで、この番組再生指示情報を、情報送信手段によって再生指示用端末装置Ａへ送信する。
【００６４】
サーバ装置Ｓ１は、ステップＰ２１において、受信した特定語句に対し、複数の投稿時刻情報が存在するときは、ステップＰ２４へ進んで、特定語句リスト情報に基づき、特定語句に対応する番組特定情報と、特定語句の第１投稿時刻情報に基づく再生開始位置位置情報とを含む番組再生指示情報を生成し、ステップＰ２５へ進んで、この番組再生指示情報を、情報送信手段によって再生指示用端末装置Ａへ送信する。
【００６５】
前述の番組特定情報は、番組録画再生装置に録画されている番組中から、特定語句に関連する番組を特定するための情報であり、少なくとも放送局名と放送日時、または、番組名と放送日時とが含まれる。
【００６６】
再生開始位置情報は、特定語句を含む投稿文書が投稿された時刻とすることも可能であるか、特定語句に関連する事項が番組中で放映された時点から、これを視聴したユーザが、投稿用端末装置Ｂで投稿文書を作成し、投稿文書サーバ装置Ｓ２へ送信するまでに要する時間を考慮して、実際の投稿時刻よりも、一定時間だけ遡った時間を、再生開始位置に指定することが好ましい。具体的には、投稿時刻よりも、たとえば３０秒前の時間を、一定時間として指定するとよい。
【００６７】
再生指示用端末装置Ａによって、番組録画再生装置Ｒに、再生開始位置を指定して、録画番組の再生を開始させるため、図７に示す処理が行われる。はじめに、再生指示用端末装置Ａで，投稿文書サーバ装置Ｓ２に対し、投稿文書の閲覧要求を行う。これにより、図１に示すように、投稿文書サーバ装置Ｓ２は、ステップＰ５０の再生指示用端末装置Ａに投稿文書を送信する処理を行う。再生指示用端末装置Ａは、ステップＰ３１で、投稿受信手段によって投稿文書情報を受信すると、ステップＰ３２に進んで、図８（ｂ）に示すごとく、投稿表示手段によって表示部２１に投稿文書を一覧表示させる。ユーザが、投稿文書一覧中の、放送番組に関連する投稿文書に関心を持ち、この投稿文書に対応する放送番組の視聴を希望する場合は、ステップＰ３３で、投稿選択手段によって該当する投稿文書を選択する。これは、再生指示用端末装置Ａが、たとえばタッチパネル式の操作部２２を表示部２１上に備えている場合は、該当する投稿文書の表示画面に指またはタッチペンなどを接触させることで、図８（ｃ）に示すように、投稿文書の選択が可能である。
【００６８】
再生指示用端末装置Ａは、ステップＰ３４で、特定語句抽出手段によって、選択された投稿文書中から、特定語句および番組名を抽出する。図８（ｃ）の例では、表示部２１の上側に表示した投稿文書中から、投稿者が「＃」を付して予め指定した「○○ニュース」と「△△事件」とが抽出される。なお、投稿文書中に特定語句があらかじめ指定されていない場合や、投稿者の指定とは異なる語句を特定語句としたい場合は、ユーザが投稿文書中の語句を自由に選択して指定することも可能である。
【００６９】
次いで再生指示用端末装置Ａは、ステップＰ３５で、特定語句送信手段によって、図１に示すように、抽出した特定語句を表す特定語句情報を、サーバ装置Ｓ１へ送信する。これによってサーバ装置Ｓ１は、図６のステップＰ２０〜Ｐ２５に示す処理を行い、情報送信手段によって、番組再生指示情報を、再生指示用端末装置Ａへ送信する。
【００７０】
ステップＰ３６で、番組再生指示情報を情報受信手段によって受信した再生指示用端末装置Ａは、ステップＰ３７で、再生指示送信手段によって、図８（ｃ）に示すごとく、番組再生指示情報を、番組録画再生装置Ｒへ送信する。番組録画再生装置Ｒは、ステップＰ６０で、番組再生指示情報を受信すると、これに含まれている番組特定情報および再生開始位置情報に基づいて、録画されている放送番組から該当する番組を検索して抽出し、当該番組を、再生開始位置情報で指定された箇所から再生し、たとえばテレビＴ２に映し出す。図８（ｃ）の例では、再生開始位置情報は、特定語句「○○ニュース」および「△△事件」を含む投稿文書が投稿された第１投稿時刻に基づいて生成したものであるので、番組録画再生装置Ｒは、録画した放送番組「○○ニュース」を、「△△事件」と関連する事項が最初に放映された箇所から再生することが可能である。すなわち、投稿者が投稿文書を投稿していたときに視聴していた番組の同じ箇所から、録画番組を再生することができる。
【００７１】
（第２の実施形態）
図９は本発明の第２の実施形態に係るものであって、投稿用端末装置Ｂから特定語句情報および番組名情報を受信したときのサーバ装置Ｓ１の動作を説明するフローチャート、図１０は本発明の第２の実施形態に係るものであって、再生指示用端末装置Ａから特定語句情報を受信したときのサーバ装置Ｓ１の動作を説明するフローチャート、図１１は、本発明の第２の実施形態に係る番組再生指示システムによって番組再生指示を行うときの動作を説明するフローチャートである。
【００７２】
特定語句に対応する投稿時刻が複数ある場合、最も早い投稿時刻である第１投稿時刻情報に基づく再生開始位置情報と、第１投稿時刻から一定時間以上が経過した後続投稿時刻情報に基づく後続再生位置情報とを生成し、録画番組の再生にあたっては、再生開始位置を、これらのうちから選択できるようにしてもよい。そのため、サーバ装置Ｓ１は、図９に示す処理を行う。なお図９において、ステップＰ１１で、指定情報受信手段によって、投稿用端末装置Ｂから特定語句情報、番組名情報および投稿時刻情報を受信し、ステップＰ１２において、同一の特定語句がすでに保存されているかどうかを判断し、同一の特定語句が保存されていない場合は、ステップＰ１５へ進んで、該特定語句を、関連する放送番組名と投稿時刻とともに、特定語句リスト情報に記録する処理は、図５と共通である。
【００７３】
本実施形態では、サーバ装置Ｓ１が、ステップＰ１２において、すでに同一の特定語句が保存されている場合は、ステップＰ１６に進んで、取得した特定語句の投稿時刻と、保存されている特定語句の投稿時刻とを比較し、両者の時間差が一定時間以上かどうかを判断する。一定時間とは、たとえば１２０秒である。
【００７４】
時間差が一定時間以上の場合は、ステップＰ１５へ進んで、新たに取得した特定語句情報を、特定語句リスト情報に加える。両者の時間差が一定時間未満のときは、ステップＰ１７へ進んで、新たに取得した特定語句の投稿時刻と、既に保存されている特定語句の投稿時刻とを比較する。既に保存されている特定語句の投稿時刻の方が早い場合は、ステップＰ１１へ戻る。新たに取得した特定語句の投稿時刻の方が早い場合、または両者の投稿時刻が同時の場合は、ステップＰ１８へ進んで、既に保存されている特定語句情報を削除し、ステップＰ１５へ進んで、新たに取得した特定語句情報を特定語句リスト情報に記録する。
【００７５】
サーバ装置Ｓ１において前記処理を行うことにより、特定語句リスト情報には、特定語句に対応する投稿時刻情報として、最も早い投稿時刻を表す第１投稿時刻情報と、第１投稿時刻から一定時間以上が経過した後続投稿時刻を表す後続投稿時刻情報とが併存して記録されることになる。なお、後続投稿時刻情報は、１つでも、複数でもよい。
【００７６】
第１投稿時刻情報と後続投稿時刻情報とを記録した特定語句リスト情報を記憶するサーバ装置Ｓ１は、再生指示用端末装置Ａから番組再生指示情報の提供が要求されたとき、図１０に示す処理を実行する。再生指示用端末装置Ａが、特定語句送信手段によってサーバ装置Ｓ１へ特定語句情報を送信して、番組再生指示情報の提供を要求すると、サーバ装置Ｓ１は、ステップＰ２０で、特定語句受信手段によって特定語句情報を受信し、ステップＰ２１において、特定語句リスト情報を参照することによって、特定語句に複数の投稿時刻が存在するかどうかを判断する。受信した特定語句に対し、複数の投稿時刻情報が存在しないときは、ステップＰ２２へ進んで、特定語句リスト情報に基づき、再生指示情報生成手段によって、番組特定情報と再生開始位置情報とを含む番組再生指示情報を生成し、ステップＰ２３へ進んで、この番組再生指示情報を、情報送信手段によって再生指示用端末装置Ａへ送信する。
【００７７】
ステップＰ２１において、受信した特定語句に対し、複数の投稿時刻情報が存在するときは、ステップＰ２６へ進み、最も早い投稿時刻を第１投稿時刻情報として特定語句リスト情報に記録し、ステップＰ２７へ進む。
【００７８】
ステップＰ２７では、第１投稿時刻と次に早い投稿時刻とを比較し、両者の時間差が一定値以下のときはステップＰ２７へ戻り、両者の時間差が一定値を超えるときは、ステップＰ２８へ進んで、比較した投稿時刻を、後続投稿時刻情報として特定語句リスト情報に記録する。そして、ステップＰ２８１で、投稿時刻情報の異なる特定語句がさらに存在するかどうかを判断し、投稿時刻情報が異なる特定語句が存在する場合は、ステップＰ２７およびＰ２８を反復して実行する。
【００７９】
ステップＰ２７，Ｐ２８，Ｐ２８１によって、第１投稿時刻情報および後続時刻情報を取得したならば、ステップＰ２９へ進み、再生指示情報生成手段によって、特定語句リスト情報に基づき、第１投稿時刻情報に基づく番組再生指示情報と、後続投稿時刻情報に基づく後続番組再生指示情報とを生成し、ステップＰ３０へ進んで、これら番組再生指示情報おとび後続番組再生指示情報を、情報送信手段によって、再生指示用端末装置Ａへ送信する。
【００８０】
続いて、再生指示用端末装置Ａが、図１１の処理を行う。図１１において、再生指示用端末装置Ａが投稿文書サーバ装置Ｓ２から投稿受信手段によって投稿文書情報を受信し、投稿表示手段によって投稿文書を表示部２１に一覧表示させ、投稿文書一覧中の任意の投稿文書を投稿選択手段によって選択し（ステップＰ３３）、特定語句抽出手段によって、選択された投稿文書中から、特定語句を抽出し（ステップＰ３４）、特定語句送信手段によって抽出した特定語句を表す特定語句情報をサーバ装置Ｓ１へ送信する（ステップＰ３５）までの処理は、図７と共通である。これによってサーバ装置Ｓ１は、図１０のステップＰ２０〜Ｐ３０に示す処理を行い、情報送信手段によって、番組再生指示情報および後続番組再生指示情報を、再生指示用端末装置Ａへ送信する。
【００８１】
ステップＰ３６で、番組再生指示情報および後続番組再生指示情報を情報受信手段によって受信した再生指示用端末装置Ａは、ステップＰ３８で、受信した番組再生指示情報が複数あるかどうかを判断する。受信した番組再生指示情報が１つのときは、ステップＰ３７へ進み、再生指示送信手段によって、番組再生指示情報を、番組録画再生装置Ｒへ送信する。
【００８２】
ステップＰ３８において、受信した再生指示情報が複数あるときは、ステップＰ３９へ進み、再生指示用端末装置Ａの表示部２１に、再生開始位置が互いに異なっている番組再生指示情報と後続番組再生指示情報とを選択するための選択画面を表示させる。次いで、ステップＰ４０において、ユーザがいずれかの選択画面を選択すると、ステップＰ３７において、選択された方の再生指示情報が、番組録画再生装置Ｒへ送信される。
【００８３】
番組録画再生装置Ｒは、ステップＰ６０で、番組再生指示情報または後続番組再生指示情報を受信すると、これらに含まれている番組特定情報および再生開始位置情報に基づいて、録画されている放送番組から該当する番組を検索して抽出し、当該番組を、再生開始位置情報で指定された箇所から再生する。
【００８４】
本実施形態では、第１投稿時刻から一定時間以上が経過してから投稿された投稿文書があるときは、同一の放送番組内で、特定語句に関連する事項が、時間を置いて放映された可能性があると考え、第１投稿時刻情報に基づく番組再生指示情報と、後続投稿時刻情報に基づく後続番組再生指示情報とを選択可能とすることによって、同一事項に関する異なる放映内容を漏らさずに確認することができる。
【００８５】
（第３の実施形態）
図１２Ａは、本発明の第３の実施形態に係るものであって、番組再生指示を行うときの再生指示用端末装置Ａが行う動作を説明するフローチャート、図１２Ｂは、本発明の第３の実施形態に係るものであって、番組再生指示を行うときのサーバ装置Ｓ１および番組録画再生装置Ｒが行う動作を説明するフローチャート、図１３は、再生指示用端末装置Ａの表示部２１を示す正面図、図１４は、再生される録画番組を表示するテレビＴ２の正面図である。図１５は、再生指示用端末装置Ａを、番組録画再生装置Ｒのリモコンとして機能させる場合の正面図である。
【００８６】
本実施形態は、再生指示用端末装置Ａが、サーバ装置Ｓ１から、再生開始位置が互いに異なっている番組再生指示情報と後続番組再生指示情報とを受信したときに、これらを選択するための選択画面を、番組録画再生装置Ｒに録画されている映像情報を利用して作成し、これを表示させるためのものである。なお本実施形態では、番組録画再生装置Ｒが、録画番組中の映像をもとに、識別画像を生成する識別画像生成手段を有している。また本実施形態の番組録画再生装置Ｒが、たとえばＵＰｎＰ(Universal Plug and Play)などのネットワーク接続機能を備えることにより、このＵＰｎＰ機能を用いて、別途設けた制御装置などとネットワーク接続し、この制御装置によって、番組録画再生装置Ｒに、識別画像生成処理を実行させることも可能である。
【００８７】
図１２Ａおよび図１２Ｂにおいて、再生指示用端末装置Ａが実行するステップＰ３３〜Ｐ３８、および、サーバ装置Ｓ１が実行するステップＰ２０〜Ｐ３０は、図１１と共通である。本実施形態では、ステップＰ３８において、受信した再生指示情報が複数あるときは、ステップＰ４１へ進み、番組録画再生装置Ｒへ、番組再生指示情報および後続番組再生指示情報の両方を送信する。番組録画再生装置Ｒは、ステップＰ６２で、番組再生情報取得手段によって、番組再生指示情報および後続番組再生指示情報を受信し、ステップＰ６３で、識別画像生成手段によって、受信した番組再生指示情報に基づく再生位置識別画像、および後続番組再生指示情報に基づく後続再生位置識別画像を生成する。そして、ステップＰ６４で、識別画像送信手段によって、再生位置識別画像および後続再生位置識別画像を含む識別画像情報を、再生指示用端末装置Ａへ送信する。再生位置識別画像および後続再生位置識別画像は、番組録画再生装置Ｒに録画されている番組中の、再生開始位置情報で指定された箇所の映像を、静止画像に変換したものを用いれば、ユーザが選択する際に、放映内容を理解し易くなる。
【００８８】
再生指示用端末装置Ａは、ステップＰ４２で、再生位置識別画像および前記後続再生位置識別画像を受信し、ステップＰ４３で、選択画面表示手段によって、図１３に示すように、これらの画像を、同一放送番組中の異なる再生開始位置を選択するための選択画面として、表示部２１に表示させる。
【００８９】
ステップＰ４４で、ユーザが、選択画面のいずれかを選択すると、ステップＰ３７において、選択した選択画面に対応する再生開始位置を指定した番組再生指示情報が番組録画再生装置Ｒへ送信される。これにより番組録画再生装置Ｒは、ステップＰ６０で、番組再生指示情報または後続番組再生指示情報を受信し、ステップＰ６１で、対応する番組特定情報および再生開始位置情報に基づいて、録画されている放送番組から該当する番組を検索して抽出し、当該番組を再生開始位置情報で指定された箇所から再生する。
【００９０】
なお本実施形態では、番組録画再生装置Ｒが生成した再生位置識別画像および後続再生位置識別画像を、図１４に示すように、録画番組を再生するためのテレビＴ２の画面に、選択画面として表示させることも可能である。
【００９１】
さらに再生指示用端末装置Ａについては、番組録画再生装置Ｒを遠隔操作するリモコン機能を持たせ、表示部２１に表示させた選択画面で再生開始位置を選択したのちは、図１５に示すように、番組録画再生装置Ｒのリモコン操作画面を、表示部２１に表示させるようにしてもよい。
【００９２】
（その他の実施形態）
本発明に係る番組再生指示システムは、投稿用端末装置Ｂが、投稿文書情報を投稿文書サーバ装置Ｓ２へ投稿するとともに、同じ投稿文書情報をサーバ装置Ｓ１へも送信する第２投稿文書送信手段を有し、サーバ装置Ｓ１が、この投稿文書情報、および、該投稿文書情報が投稿された時刻を表す投稿時刻情報を受信する文書情報受信手段と、受信した投稿文書情報から、該投稿文書情報に含まれる特定語句情報および番組名情報を抽出する指定情報抽出手段とを有し、抽出した特定語句情報、番組名情報、および投稿時刻情報に基づいて、特定語句リスト情報を作成するように構成することも可能である。この場合、サーバ装置Ｓ１が、投稿文書情報から特定語句情報と番組名情報とを抽出するから、投稿用端末装置Ｂは、投稿文書情報をサーバ装置Ｓ１へそのまま送信するだけでよく、投稿用端末装置Ｂが行う処理動作を簡単にできる利点が得られる。
【００９３】
再生指示用端末装置Ａからサーバ装置Ｓ１に対し、番組再生指示情報の提供を要求するため、特定語句情報を抽出して送信するのに代えて、選択した投稿文書情報全体を、サーバ装置Ｓ１へ送信する態様も可能である。この場合、サーバ装置Ｓ１において、記憶している特定語句リスト情報と、受信した投稿文書から抽出した語句とを比較対照し、投稿文書中の特定語句を指定する。また本実施形態では、再生指示用端末装置Ａが、特定語句抽出手段を不要にできるので、処理動作を簡単化できる利点を有する。
【００９４】
番組名情報は、番組の名称以外に、数字や記号によって表記された識別記号を用いることも可能である。
【００９５】
投稿時刻情報は、投稿された日時とするほか、放送番組の放送開始時刻からの経過時間で表すことも可能である。これにより、再生開始位置情報は、放送番組開始時点からの経過時間で表すことができる。これにより、番組録画再生装置Ｒにおいて、再生する録画番組中の再生開始位置を指定する処理が容易になる。
【符号の説明】
【００９６】
Ａ  再生指示用端末装置
Ｂ  投稿用端末装置
Ｒ  番組録画再生装置
Ｓ１  サーバ装置
Ｓ２  投稿文書サーバ装置
【図１】
2014135697.tif 000003
【図２】
2014135697.tif 000004
【図３】
2014135697.tif 000005
【図４】
2014135697.tif 000006
【図５】
2014135697.tif 000007
【図６】
2014135697.tif 000008
【図７】
2014135697.tif 000009
【図８】
2014135697.tif 000010
【図９】
2014135697.tif 000011
【図１０】
2014135697.tif 000012
【図１１】
2014135697.tif 000013
【図１２Ａ】
2014135697.tif 000014
【図１２Ｂ】
2014135697.tif 000015
【図１３】
2014135697.tif 000016
【図１４】
2014135697.tif 000017
【図１５】
2014135697.tif 000018